(57)【要約】【課題】静音性に優れ、自然なリバウンドを得ることができる、キックパッドの支持具を提供する。【解決手段】支持具１０は、ビーターにより叩かれるキックパッドを、床面に設置するスタンドに取り付ける。支持具１０は、ビーターによりキックパッドを叩く方向と交差する方向の一端側にキックパッドを固定し、交差する方向の他端側をスタンドに固定した弾性部材１を有する。【選択図】      図３
2019120827.tif 000002
【特許請求の範囲】
【請求項１】
ビーターにより叩かれるキックパッドを、床面に設置するスタンドに取り付ける支持具であって、
前記ビーターにより前記キックパッドを叩く方向と交差する方向の一端側に前記キックパッドを固定し、前記交差する方向の他端側を前記スタンドに固定した弾性部材を有する、
支持具。
【請求項２】
前記キックパッドを前記ビーターが叩く部位を間に挟んだ水平方向の両側に複数の前記弾性部材を有する、
請求項１の支持具。
【請求項３】
前記弾性部材は、中実なゴム部材により形成され、
前記ゴム部材の一端に、前記キックパッドを固定するための第１固定具を有し、
前記ゴム部材の他端に、前記スタンドに固定するための第２固定具を有する、
請求項１または請求項２の支持具。
【発明の詳細な説明】
【技術分野】
【０００１】
本発明は、例えば、電子ドラムのキックパッドを支持する支持具に関する。
【背景技術】
【０００２】
電子ドラムのキックパッドは、例えば、スタンドに取り付けられて使用される。スタンドの下端には、フットペダルが固定される。演奏するときには、フットペダルを足で操作してビーターをキックパッドに打ち付ける。スタンドおよび／或いはフットペダルは、床に敷く防振マットに対する滑りを防止するため、位置ズレ防止用のピンをその下面側に突出して有する。
【先行技術文献】
【特許文献】
【０００３】
【特許文献１】特開２００７−２０６６３３号公報
【発明の概要】
【発明が解決しようとする課題】
【０００４】
キックパッドを単にスタンドに取り付けただけの装置では、ビーターによりキックパッドを叩いたときに、アコースティックドラムのような自然なリバウンドを得ることは難しい。打撃音を弱めるため、スタンドのしなりを利用したり、キックパッド自体の弾性を高めたりして、ビーターによる衝撃を吸収させようとすると、キックパッドが押されて打面が移動し、自然なリバウンドを得ることが難しくなる。
【０００５】
反面、スタンドの剛性を高めてキックパッドをスタンドに固定すると、アコースティックドラムの打感に近付けることができるが、その分、ビーターによる打撃音が大きくなり、騒音の問題が生じる。このような打撃音の問題は、キックパッド自体の剛性を高めても同じであり、静音性と自然なリバウンドの両方を達成することは難しい。
【０００６】
本発明は、上記の点に鑑みてなされたもので、静音性に優れ、自然なリバウンドを得ることができる、キックパッドの支持具を提供することを目的とする。
【課題を解決するための手段】
【０００７】
本発明のキックパッドの支持具は、ビーターにより叩かれるキックパッドを、床面に設置するスタンドに取り付ける。支持具は、ビーターによりキックパッドを叩く方向と交差する方向の一端側にキックパッドを固定し、交差する方向の他端側をスタンドに固定した弾性部材を有する。
【発明の効果】
【０００８】
本発明のキックパッドの支持具を用いると、静音性を高めることができ、自然なリバウンドを得ることができる。
【図面の簡単な説明】
【０００９】
【図１】図１は、実施形態に係る支持具を介してキックパッドをスタンドに取り付けた組立体を示す外観斜視図である。
【図２】図２は、図１のキックパッドの分解斜視図である。
【図３】図３は、図１のキックパッドをスタンドに取り付ける実施形態に係る支持具を示す断面図である。
【図４】図４は、図３の支持具の分解斜視図である。
【発明を実施するための形態】
【００１０】
以下、本発明を実施するための形態について図面を参照して説明する。  
図１は、実施形態に係る複数（本実施形態では４組）の支持具１０を介してキックパッド２０をスタンド３０に取り付けた組立体４０を示す外観斜視図である。図１では、フットペダル５０をスタンド３０の底部プレート３１に取り付けた状態を示してある。キックパッド２０の表面は、アコースティックドラムのバスドラムのヘッドに相当し、スタンドの底部プレート３１は、バスドラムのリムに相当する。
【００１１】
以下の説明では、組立体４０のフットペダル５０側を演奏者から見た手前側（或いは前面側）と称し、ビーター５１がキックパッド２０を叩く方向を奥側（或いは背面側）と称する。なお、フットペダル５０の構造や底部プレート３１への取り付け方法などについては、周知の技術であるため、ここではその詳細な説明を省略する。
【００１２】
スタンド３０は、フットペダル５０を取り付けるための略矩形の金属板により形成された底部プレート３１を有する。底部プレート３１は、床面Ｆと略平行に配置され、その上面奥側の２つの角部に２本のメインフレーム３２、３２の下端を固定している。フットペダル５０は、メインフレーム３２、３２の下端から離れた底部プレート３１の手前側の辺部３１ａに取り付けられる。
【００１３】
２本のメインフレーム３２、３２は、例えば、金属製のパイプにより形成されており、底部プレート３１から上方に互いに略平行に延びている。２本のメインフレーム３２、３２の上端には、後述するキックパッド２０が取り付けられる。
【００１４】
２本のメインフレーム３２、３２の間には、サブフレーム３３が架け渡されている。サブフレーム３３は、例えば、金属製のプレートにより形成されている。また、各メインフレーム３２の奥側には、それぞれ、支えフレーム３４、３４が設けられている。各支えフレーム３４は、細長い２枚の板をその両端で重ねた構造を有する。各支えフレーム３４の上端は、サブフレーム３３を接続した位置で、回動スリーブ３５を介してメインフレーム３２の周りで回動可能に取り付けられている。
【００１５】
各支えフレーム３４の下端には、床面Ｆに敷いた図示しない防振マットに突き刺すことでスタンド３０の移動を防止するための図示しない位置ズレ防止ピンが突出可能に設けられている。各支えフレーム３４の下端とそれぞれ対応するメインフレーム３２の下端の間には、梁フレーム３６が設けられている。梁フレーム３６の一端３６ａは、支えフレーム３４に対して回動可能に取り付けられている。梁フレーム３６の他端３６ｂには、スライドスリーブ３７が回動可能に取り付けられている。スライドスリーブ３７は、メインフレーム３２の周りで回動可能且つスライド可能に取り付けられている。
【００１６】
スライドスリーブ３７を図１の状態からメインフレーム３２に沿って上方にスライドさせ、梁フレーム３６の他端３６ｂを支えフレーム３４の上端に近付けると、支えフレーム３４と梁フレーム３６がメインフレーム３２と平行な状態に近付けられる。つまり、スライドスリーブ３７を回動スリーブ３５に最も近い位置までスライドさせると、支えフレーム３４および梁フレーム３６がメインフレーム３２と略平行になり、スタンド３０が折り畳まれる。
【００１７】
スタンド３０を図１の状態に展開して使用する際には、スライドスリーブ３７を貫通したネジ孔に螺合した蝶ネジ３８を締め、スライドスリーブ３７をメインフレーム３２の下端近くに固定する。これにより、支えフレーム３４が図示の開いた状態に固定され、スタンド３０が安定する。このとき、スライドスリーブ３７のメインフレーム３２に対する固定位置を変えることで、支えフレーム３４の角度を調節することができ、メインフレーム３２の傾倒角度を調整することができる。つまり、アコースティックドラムのバスドラムを傾けるのと同じように、キックパッド２０を支持する角度を変えることができる。
【００１８】
なお、２本のメインフレーム３２にそれぞれ接続された２本の支えフレーム３４は、互いに離接する方向にその開き角度を調整可能な構造を有する。つまり、回動スリーブ３５をメインフレーム３２に対して回動させ、且つスライドスリーブ３７をメインフレーム３２に対して回動させることで、支えフレーム３４および梁フレーム３６をメインフレーム３２に対して回動させることができ、支えフレーム３４の角度調整が可能となる。このため、組立体４０を演奏者の足元の狭い空間に設置し易く、レイアウトの自由度を高めることができる。角度調整した支えフレーム３４は、上述した蝶ネジ３８を締めることでその角度に固定される。
【００１９】
図２は、キックパッド２０の分解斜視図である。  
キックパッド２０は、手前側から奥側に向けて、パッド本体２２、フレーム２４、および背面カバー２６を有する。
【００２０】
パッド本体２２は、例えば、図示しない複数枚の発泡シートおよびスポンジを重ねた積層体を有し、積層体の間に、図示しない圧電素子を備えた図示しない金属板が配置されている。パッド本体２２の表面には、ビーター５１による打撃を受ける打面カバー２１が設けられている。打面カバー２１は、図示しない積層体の手前側の面（前面）および全ての側面を覆うように設けられ、積層体の奥側の面（背面）で図示しない背面板に接着固定される。このため、パッド本体２２の前面縁部は、側面に向けて緩やかに湾曲している。打面カバー２１は、例えば、塩化ビニルやウレタンシートにより形成される。
【００２１】
フレーム２４は、パッド本体２２の背面に接触してネジ留め固定するための固定板２４ａを有する。固定板２４ａの外周縁には、天板２４ｂ、底板２４ｃ、および２枚の側板２４ｄが連続して一体に設けられている。天板２４ｂ、底板２４ｃ、および２枚の側板２４ｄは、固定板２４ａと略直交するように背面側に折り曲げられている。
【００２２】
固定板２４ａは、図示しない圧電素子に対向する位置に、圧電素子の配線を引き出すための開口部２４ａ−１を有する。また、固定板２４ａは、固定板２４ａの手前側の面にパッド本体２２を締結固定するためのネジを挿通する４つの挿通孔２４ａ−２を有する。
【００２３】
底板２４ｃは、固定板２４ａとの間の折り曲げ部分にかけて、スタンド３０の２本のメインフレーム３２、３２の上端を通す２つの開口部２５、２５を有する。開口部２５の大きさは、キックパッド２０をスタンド３０に取り付けた状態で、メインフレーム３２がキックパッド２０のフレーム２４に接触しない大きさに設計されている。
【００２４】
２枚の側板２４ｄは、それぞれ、２つの支持具１０を取り付けるための取付孔２７、２７を有する。また、各側板２４ｄは、対応する背面カバー２６の側板２６ａを固定するためのネジ２８（図１）を挿通する挿通孔２４ｄ−１を有する。
【００２５】
背面カバー２６は、それぞれ、フレーム２４の側板２４ｄの内側に配置される２枚の側板２６ａ、２６ａを有する。側板２６ａ、２６ａは、背面板２６ｂの水平方向の両端から手前側に一体に折り曲げて設けられている。
【００２６】
各側板２６ａは、フレーム２４の側板２４ｄに設けた２つの取付孔２７にそれぞれ重なる２つの切り欠き２６ａ−１を有する。切り欠き２６ａ−１の大きさ（長さおよび幅）は、取付孔２７に取り付けた支持具１０に干渉しない大きさに設計されている。各側板２６ａの上端縁には、フレーム２４の天板２４ｂに沿って内側に折れ曲がった支持片２６ａ−２が設けられている。各側板２６ａは、フレーム２４の側板２４ｄに設けた挿通孔２４ｄ−１に重なるネジ孔２６ａ−３を有する。
【００２７】
背面カバー２６をフレーム２４に取り付ける場合、背面カバー２６の２枚の側板２６ａをフレーム２４の２枚の側板２４ｄの内側に重ね、挿通孔２４ｄ−１を通してネジ孔２６ａ−３にネジ２８を螺合する。このとき、後述する支持具１０をフレーム２４の取付孔２７に取り付けた状態で、背面カバー２６を取り付け可能となっている。なお、背面カバー２６をフレーム２４に取り付けた状態で、背面カバー２６の支持片２６ａ−２は、フレーム２４の天板２４ｂの下に配置される。
【００２８】
背面カバー２６は、背面板２６ｂの両端の側板２６ａ、２６ａを手前側に折り曲げた構造を有する。背面板２６ｂは、中央が背面側に膨出するようにわずかに湾曲している。背面板２６ｂの下端縁には、複数の支持片２６ｂ−１が設けられている。各支持片２６ｂ−１は、フレーム２４の底板２４ｃに沿って手前側に折り曲げられている。各支持片２６ｂ−１には、フレーム２４の底板２４ｃに固定するための図示しないネジを挿通するための孔が設けられている。
【００２９】
背面カバー２６の上端には、ＬＥＤユニット２９ａを取り付けるためのＵ字状の取付プレート２９ｂが設けられている。ＬＥＤユニット２９ａは、図示しないネジにより取付プレート２９ｂの上面に固定される。取付プレート２９ｂは、図示しないネジにより背面カバー２６の側板２６ａの支持片２６ａ−２に締結固定される。ＬＥＤユニット２９ａは、背面カバー２６をフレーム２４に取り付けた状態で、天板２４ｂによって略全体を覆われるが、フレーム２４の天板２４ｂの下面と背面カバー２６の背面板２６ｂの上端との間のわずかな隙間から一部が露出する。
【００３０】
図３は、上述したキックパッド２０をスタンド３０に取り付けるための支持具１０の軸方向に沿った断面図であり、図４は、支持具１０の複数の構成部材を軸方向に分解した分解斜視図である。図３では、キックパッド２０のフレーム２４の側板２４ｄの一部および背面カバー２６の側板２６ａの一部を図示したが、図４では図示を省略した。以下、主に、図３および図４を参照して、本実施形態の支持具１０について説明する。
【００３１】
本実施形態では、４組の支持具１０を用いてキックパッド２０をスタンド３０に取り付けた。具体的には、スタンド３０の２本のメインフレーム３２、３２の上端近くにある取付孔３２ａ、およびその下方に離間して設けたもう一つの取付孔３２ｂを介して支持具１０をそれぞれ取り付けた。上方の取付孔３２ａは、メインフレーム３２の上端に設けた板状部分を貫通して設けられており、下方の取付孔３２ｂは、メインフレーム３２の軸方向と交差する方向から凹んだ凹所３２ｃの底を貫通して設けられている。４組の支持具１０は同じ構造を有するため、ここでは一方のメインフレーム３２の上端に近い取付孔３２ａに取り付けた支持具１０について代表して説明する。
【００３２】
支持具１０は、キックパッド２０のフレーム２４の側板２４ｄに設けた取付孔２７に挿通するスリーブボルト１１、およびスリーブボルト１１に螺合してスリーブボルト１１を側板２４ｄに締結固定するナット１２を有する。また、支持具１０は、略円柱形状の中実なゴムにより形成された緩衝部材１（弾性部材）を有する。緩衝部材１は、ナット２を用いて、スタンド３０のメインフレーム３２に固定される。
【００３３】
すなわち、本実施形態の支持具１０は、ビーター５１によってキックパッド２０を叩く方向と交差する方向（図３で左右方向）の一端側にキックパッド２０を固定し、交差する方向の他端側をスタンド３０に固定している。言い換えると、本実施形態では、キックパッド２０を叩く方向に沿って支持具１０を取り付けるのではなく、叩く方向と交差する方向に両端が並ぶ姿勢で取り付けられている。
【００３４】
４つの支持具１０を用いてキックパッド２０をスタンド３０に取り付ける場合、４つのスリーブボルト１１をキックパッド２０に固定し、スタンド３０に４つの緩衝部材１を固定する。そして、キックパッド２０のフレーム２４の２つの開口部２５を介してスタンド３０の２本のメインフレーム３２を挿通し、全てのスリーブボルト１１と緩衝部材１を同軸に配置する。この状態で、各スリーブボルト１１にキーボルト１３を挿通し、緩衝部材１の固定金具５にネジ留めする。
【００３５】
緩衝部材１は、その図示右端（他端）をメインフレーム３２に固定するための固定金具３（第２固定具）を有する。固定金具３は、緩衝部材１の軸方向の右端面に埋設された略円板状の端板部３ａと、端板部３ａの中心の図示右面側から一体に突設した軸部３ｂと、を有する。端板部３ａの図示左面および外周面は緩衝部材１に接触している。端板部３ａは、緩衝部材１に対して例えば焼き付け（加硫接着）により一体化されている。端板部３ａの外径は、緩衝部材１の外径より一回り小さい。端板部３ａの外径は、これに限らず、緩衝部材１の外径と同じかそれ以上であってもよい。
【００３６】
軸部３ｂは、取付孔３２ａの内径よりわずかに小さい外径を有し、その外周面にナット２を螺合するネジが設けられている。軸部３ｂの長さは、取付孔３２ａの長さおよびナット２の厚みを足した値よりわずかに長い。緩衝部材１の図示右端を固定金具３を介してメインフレーム３２の上端に取り付けた状態で、固定金具３の外周面を覆った緩衝部材１の一部がメインフレーム３２の板状部分に接触する。
【００３７】
緩衝部材１は、その図示左端（一端）をキックパッド２０に固定するための固定金具５（第１固定具）を有する。固定金具５は、略円板状の端板部５ａと、端板部５ａの中心の図示右面側から一体に突設したナット部５ｂと、を有する。固定金具５は、端板部５ａの図示左面を除いて緩衝部材１に埋め込まれて接触している。固定金具５は、緩衝部材１に対して例えば焼き付け（加硫接着）により一体化されている。端板部５ａの外径は、緩衝部材１の外径より一回り小さい。端板部５ａの外径は、これに限らず、緩衝部材１の外径と同じかそれ以上であってもよい。固定金具５は、端板部５ａを貫通してナット部５ｂの途中まで延びたネジ穴５ｃを有する。言い換えると、ナット部５ｂは、有底のネジ穴５ｃを有する。
【００３８】
スリーブボルト１１は、フレーム２４の側板２４ｄの外面に係合する頭部１１ａ、および側板２４ｄの取付孔２７に挿通される軸部１１ｂを有する。頭部１１ａの外径は、取付孔２７の内径より大きい。軸部１１ｂの外周面には、ナット１２を螺合するためのネジが設けられている。
【００３９】
スリーブボルト１１は、その内部を軸方向に貫通した挿通孔１１ｃを有する。挿通孔１１ｃには、キーボルト１３が挿通される。キーボルト１３は、図示しないチューニングキーを用いて締めることができる。キーボルト１３は、スリーブボルト１１より長く、ワッシャ１４を間に挟んで挿通孔１１ｃに挿通した状態で、先端がスリーブボルト１１の軸部１１ｂの先端から突出する。
【００４０】
キーボルト１３は、スリーブボルト１１の挿通孔１１ｃの内径より大径の頭部１３ａ、および挿通孔１１ｃ内に挿通可能な太さの軸部１３ｂを有する。軸部１３ｂの外周面には、固定金具５のネジ穴５ｃに螺合するネジが設けられている。キーボルト１３の軸部１３ｂの長さは、キーボルト１３を最後まで締めてスリーブボルト１１の軸部１１ｂの先端が固定金具５の端板部５ｂに当接した状態（図３の状態）で、軸部１３ｂの先端とナット部５ｂのネジ穴５ｃの底面との間にわずかな隙間が形成される長さに設定されている。
【００４１】
緩衝部材１の図示左端をキックパッド２０に取り付ける場合、すなわちキックパッド２０をスタンド３０に取り付ける場合、ワッシャ１４を介してキーボルト１３をスリーブボルト１１の挿通孔１１ｃに挿通し、緩衝部材１の一端にある固定金具５のネジ穴５ｃにキーボルト１３をネジ留めする。キーボルト１３は、スリーブボルト１１の軸部１１ｂの先端が固定金具５の端板部５ｂに当接するまで締め付けられる。この状態で、緩衝部材１は、図３で左右に引き伸ばされた状態となる。
【００４２】
以上のように、本実施形態によると、キックパッド２０をスタンド３０に直接固定するのではなく、４組の支持具１０を介してキックパッド２０をスタンド３０に取り付けたため、キックパッド２０をビーター５１で叩いたときに発生する衝撃音を抑えることができ、且つビーター５１でキックパッド２０を叩いたときのリバウンドをアコースティックドラムと同様な自然なリバウンドに近付けることができる。このため、電子ドラムに必要とされる静音性を高めることができ、その上、アコースティックドラムと同様な自然なリバウンドを実現することができ、アコースティックドラムにより近い感覚での演奏が可能となる。
【００４３】
特に、本実施形態の支持具１０が、ビーター５１によってキックパッド２０を叩く方向と交差する方向の一端にキックパッド２０を固定し、他端をスタンド３０に固定する姿勢で取り付けられているため、各支持具１０が横方向の応力を受けることになり、衝撃吸収性能をより高めることができる。仮に、支持具１０をビーター５１により叩く方向に沿って配置した場合、支持具１０を圧縮する方向に応力が作用し、衝撃吸収性能が低くなる。例えば、緩衝部材１を円柱形にする代わりに、胴部をくびれさせた形状にすることで、より衝撃吸収性能を高めることもできる。言い換えると、緩衝部材１の形状や材質を適宜選択することで、所望する衝撃吸収性能を有する支持具１０を提供することもできる。
【００４４】
なお、支持具１０の個数は、４組に限らず、少なくとも２組、或いは５組以上であってもよい。いずれにしても、キックパッド２０に対する支持具１０のレイアウトは、ビーター５１によってキックパッド２０を叩く部位を間に挟んで水平方向の両側に複数組設けることが好ましい。このように、ビーター５１で叩く部位の両側でキックパッド２０を支持することで、打面を両側で支えることができ、アコースティックドラムのヘッドと同様の打感を得ることができる。
【００４５】
本実施形態では、各メインフレーム３２の長手方向（上下方向）に沿って離間した２位置に支持具１０を設け、４組の支持具１０を頂点とする矩形の領域の中にビーター５１による打点を設定したため、アコースティックドラムの打感により近付けることができる。なお、上述した実施形態のスタンド３０が、キックパッド２０の高さを調整する機構を備えてもよく、ビーター５１により叩く位置に合わせてキックパッド２０の高さを調節可能としてもよい。
【００４６】
また、本実施形態によると、スタンド３０とキックパッド２０の間に配置した緩衝部材１をその接続方向に引き伸ばした状態で取り付けたため、引き伸ばさない場合と比較して、支持具１０を硬くすることができる。つまり、緩衝部材１を引き伸ばして取り付けることで、ビーター５１によりキックパッド２０を叩いたときのスタンド３０に対するキックパッド２０の揺れを抑えることができ、支持具１０の剛性を高めることができる。言い換えると、キーボルト１３の締め具合（すなわち、スリーブボルト１１の先端と固定金具５の間の距離）を変えることで緩衝部材１を引き伸ばす度合いを変えることができ、ビーター５１によりキックパッド２０を叩いたときのリバウンドを変えることもできる。
【００４７】
また、スタンド３０とキックパッド２０の間に配置した緩衝部材１をその接続方向に引き伸ばした状態で取り付けたため、キックパッド２０をスタンド３０に取り付ける際に、両者が接触して緩衝する不具合を防止することができる。つまり、スタンド３０に取り付けた緩衝部材１は、キーボルト１３を締め付ける前の状態では、締め付け後の状態より縮んだ状態となっており、接続方向の長さが短い。このため、キックパッド２０の取付時に、スリーブボルト１１の軸部１１ｂの先端が緩衝部材１に接触する不具合を防止することができ、キックパッド２０のスタンド３０への取付を容易にできる。
【００４８】
なお、本実施形態の支持具１０は、キックパッド２０をスタンド３０に対して浮かせた状態で支持している。つまり、キックパッド２０は、フレーム２４の側板２４ｄ、スリーブボルト１１、キーボルト１３、固定金具５、緩衝部材１、および固定金具３を介してスタンド３０に取り付けられている。言い換えると、本実施形態の支持具１０は、上述した部材２４ｄ、１１、１３、５、１、３に対して他の周辺部材が干渉することのないフローティング状態でキックパッド２０を支持している。
【００４９】
例えば、スタンド３０のメインフレーム３２の上端が、キックパッド２０のフレーム２４の天板２４ｂに干渉しないように、フレーム２４の側板２４ｄに対する取付孔２７の高さ位置を適切な位置に設計している。また、背面カバー２６は、支持具１０に干渉しない大きさの切り欠き２６ａ−１を有し、背面カバー２６が支持具１０に接触しないようにしている。これにより、キックパッド２０が周辺部材に接触する不具合を防止することができ、不所望な衝突音の発生を抑制することができる。
【００５０】
また、本実施形態によると、キックパッド２０をスタンド３０に取り付ける支持具１０の構造や取付姿勢を工夫することで、打撃音を小さくするとともに自然なリバウンドを得ることができるようにしているため、キックパッド２０やスタンド３０における衝撃吸収性能を考慮する必要がなく、キックパッド２０やスタンド３０の設計の自由度を高めることができる。
【００５１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００５２】
例えば、上述した実施形態では、キックパッド２０をスタンド３０に取り付ける支持具１０の緩衝部材１としてゴム部材を使用した場合について説明したが、これに限らず、コイルバネや板バネなど他の弾性部材を緩衝部材１に用いることもできる。いずれにしても、叩く方向と交差する方向の一端をキックパッド２０に固定し且つ叩く方向と交差する方向の他端をスタンド３０に固定する姿勢で緩衝部材１を取り付ければよい。
【００５３】
また、上述した実施形態では、電子ドラムのキックパッド２０をスタンド３０で支持する支持具１０について説明したが、これに限らず、圧電素子を持たないドラムパッドを支持する装置として本発明を適用することもできる。
【符号の説明】
【００５４】
１…緩衝部材、  ３、５…固定金具、  １０…支持具、  １１…スリーブボルト、  １３…キーボルト、  ２０…キックパッド、  ２４…フレーム、  ２７…取付孔、  ３０…スタンド、  ４０…組立体、  ５０…フットペダル、  ５１…ビーター。
【図１】
2019120827.tif 000003
【図２】
2019120827.tif 000004
【図３】
2019120827.tif 000005
【図４】
2019120827.tif 000006